(57)【要約】【目的】  遊技島台の下部に空洞部を形成し、該空洞部に遊技島台の長手方向に沿って仕切部材を備える遊技島台において、仕切部材の取付作業及び交換作業を容易に行うことができる遊技島台を提供する。【解決手段】  遊技機設置枠３の下方に形成される空洞部４ｂの長手方向に沿って仕切部材２１を立設するため、セキュリティを強化して空洞部４ｂを通して遊技島台１の他側面側から遊技者の足元に置いてある持ち物等が奪われることを防止できる。また、空洞部４ｂの前後面側から支持部材に着脱自在に固定される前後２つの挟込固定部材２３によって仕切部材２１の側端部を挟み込むため、空洞部４ｂの前後面のうちの一側面側から一の挟込固定部材２３を脱着することができ、一側面側からの仕切部材２１の取付作業や交換作業を容易に行うことができる。【選択図】  図１
2014147545.tif 000002
【特許請求の範囲】
【請求項１】
遊技機を収容する遊技機収容部を有する遊技機設置枠と、
該遊技機設置枠の下方に設けられる空洞部と、該空洞部に遊技島台の長手方向に沿って立設する仕切部材と、を備える遊技島台において、
前記仕切部材の側端部に位置するように前記空洞部に立設する支持部材と、
前記空洞部の前後面側から前記支持部材に着脱自在に固定される前後２つの挟込固定部材と、を備え、
前記支持部材に対して前記２つの挟込固定部材を前後から固定する際に、前記仕切部材の側端部を挟み込むことにより前記仕切部材を前記遊技機設置枠の下方に設けられる空洞部の長手方向に沿って立設可能としたことを特徴とする遊技島台。
【請求項２】
前記支持部材は、前記遊技島台の短手方向の厚み寸法が変更可能となるように前記空洞部に立設し、
前記２つの挟込固定部材を前記支持部材の厚み寸法が大きい場合と小さい場合とにそれぞれ固定したときに、前記２つの挟込固定部材によって形成される隙間寸法を異ならせることにより厚みの異なる前記仕切部材の側端部を挟み込み立設可能としたことを特徴とする請求項１記載の遊技島台。
【請求項３】
前記２つの挟込固定部材のそれぞれは、前記支持部材と当接する当接面と前記仕切部材の側端部を挟み込む挟持面とが段違いに形成されることを特徴とする請求項１又は２に記載の遊技島台。
【請求項４】
前記空洞部の下部に長手方向に沿って立設され且つ上部に前記仕切部材を載置する台座部と、
前記遊技機設置枠の下端部の長手方向に沿って設けられ且つ前記仕切部材の上端部を嵌め入れるコ字状のレール部材と、を備えることを特徴とする請求項１乃至請求項３のいずれかに記載の遊技島台。
【発明の詳細な説明】
【技術分野】
【０００１】
本発明は、遊技機を設置する遊技島台に関するものである。
【背景技術】
【０００２】
従来、特許文献１に示されるように、複数の遊戯機器（本願の「遊技機」に相当）と、複数の遊戯媒体貸出機と、前記遊戯機器と前記遊戯媒体貸出機とを収容する枠体と、該枠体の底部と床面との間に、前記枠体の長手方向に沿って隔離して複数個配置された支持脚部によって、枠体の底部と床面との間に空間部が形成される遊技島台が提案されている。
【先行技術文献】
【特許文献】
【０００３】
【特許文献１】特開２００２−６６１０１号公報（図１）
【発明の概要】
【発明が解決しようとする課題】
【０００４】
特許文献１の遊技島台は、枠体の底部と床面との間に空間部が形成され、空調を使用した場合には空気の流れが良くなり遊技場内において温度むらが生じることがなくなるという効果が得られるとともに、遊技者が足を伸ばし楽な姿勢で遊技を長時間継続して行うために十分な空間が形成され疲労を軽くする効果が得られる。しかしながら、遊技場によっては遊技者の足元の空間部を維持したまま、空間部に、遊技島台の長手方向に沿って仕切部材を備えたいという要望がある。
上記仕切部材は遊技者の足元に設けられるものであり、遊技者に蹴られて破損してしまう可能性がある。また、仕切部材は様々な意匠が施されるものであり、遊技島台に設置される遊技機を新たな遊技機に入れ替えたときには新たに設置される遊技機の意匠に合わせて仕切部材の意匠替えを行う可能性もある。このように、仕切部材が破損してしまった場合や意匠替えを行う場合に、新たな仕切部材へと交換を行うが、その交換作業が困難であった。本発明は上記した事情に鑑みなされたものであり、遊技島台の下部に空洞部を形成し、該空洞部に遊技島台の長手方向に沿って仕切部材を備える遊技島台において、仕切部材の取付作業及び交換作業を容易に行うことができる遊技島台を提供することを目的とする。
【課題を解決するための手段】
【０００５】
上記した目的を達成するために、請求項１の発明においては、遊技機を収容する遊技機収容部を有する遊技機設置枠と、該遊技機設置枠の下方に設けられる空洞部と、該空洞部に遊技島台の長手方向に沿って立設する仕切部材と、を備える遊技島台において、前記仕切部材の側端部に位置するように前記空洞部に立設する支持部材と、前記空洞部の前後面側から前記支持部材に着脱自在に固定される前後２つの挟込固定部材と、を備え、前記支持部材に対して前記２つの挟込固定部材を前後から固定する際に、前記仕切部材の側端部を挟み込むことにより前記仕切部材を前記遊技機設置枠の下方に設けられる空洞部の長手方向に沿って立設可能としたことを特徴とする。
【０００６】
また、請求項２においては、前記支持部材は、前記遊技島台の短手方向の厚み寸法が変更可能となるように前記空洞部に立設し、前記２つの挟込固定部材を前記支持部材の厚み寸法が大きい場合と小さい場合とにそれぞれ固定したときに、前記２つの挟込固定部材によって形成される隙間寸法を異ならせることにより厚みの異なる前記仕切部材の側端部を挟み込み立設可能としたことを特徴とする。
【０００７】
また、請求項３においては、前記２つの挟込固定部材のそれぞれは、前記支持部材と当接する当接面と前記仕切部材の側端部を挟み込む挟持面とが段違いに形成されることを特徴とする。
【０００８】
また、請求項４においては、前記空洞部の下部に長手方向に沿って立設され且つ上部に前記仕切部材を載置する台座部と、前記遊技機設置枠の下端部の長手方向に沿って設けられ且つ前記仕切部材の上端部を嵌め入れるコ字状のレール部材と、を備えることを特徴とする。
【発明の効果】
【０００９】
請求項１の発明においては、遊技機設置枠の下方に空洞部が形成されているため、従来と同じように遊技者が脚を伸ばして楽な姿勢で遊技を行うことができると共に、長期間継続して遊技を行っても遊技者の疲労を軽くすることができる。また、空洞部に遊技島台の長手方向に沿って立設する仕切部材は、空洞部の前後面側から支持部材に着脱自在に固定される前後２つの挟込固定部材によって側端部を挟み込まれるため、空洞部の前後面のうちの一側面側から一の挟込固定部材を脱着することができ、一側面側からの仕切部材の取付作業や交換作業を容易に行うことができる。
【００１０】
また、請求項２の発明においては、支持部材を遊技島台の短手方向の厚み寸法が変更可能となるように前記空洞部に立設するため、２つの挟込固定部材を支持部材の厚み寸法が大きい場合と小さい場合とにそれぞれ固定したときに、２つの挟込固定部材によって形成される隙間寸法を異ならせることができ、厚みの異なる複数種類の仕切部材の側端部の挟み込み立設が可能になる。
【００１１】
また、請求項３の発明においては、支持部材と当接する当接面と仕切部材の側端部を挟み込む挟持面とが段違いとなるように２つの挟込固定部材のそれぞれを形成したため、支持部材の厚みよりも薄い仕切部材や支持部材の厚みよりも厚い仕切部材であっても２つの挟込固定部材によって挟み込み立設が可能となる。
【００１２】
また、請求項４の発明においては、仕切部材を載置する台座部と遊技機設置枠の下端部に仕切部材の上端部を嵌め入れるコ字状のレール部材とを設けるため、仕切部材を２つの挟込固定部材によって挟み込み立設する際に仕切部材の上端部をレール部材に嵌め入れて台座部に載置して仮固定された状態で２つの挟込固定部材の両方又はいずれか一方の固定を行うことが可能になるため、仕切部材を支えながらの作業が不要となり、仕切部材の取り付けに係る作業負担を軽減できる。
【図面の簡単な説明】
【００１３】
【図１】遊技島台の全体を示す正面図である。
【図２】仕切機構を遊技島台に連結した状態の正面図である。
【図３】仕切機構を遊技島台に連結した状態の斜視図である。
【図４】仕切機構の斜視図である。
【図５】仕切機構の拡大斜視図である。
【図６】一側面側の挟込固定部材を取り外した状態の仕切部材の拡大斜視図である。
【図７】一側面側の挟込固定部材と仕切部材とを取り外した状態の仕切部材の拡大斜視図である。
【図８】支持部材の長手面への挟込固定部材の取り付け態様を示す拡大斜視図である。
【図９】（ａ）支持部材の短手面に挟込固定部材を取り付けた状態の平面図及び側面図であり、（ｂ）支持部材の長手面に挟込固定部材を取り付けた状態の平面図及び側面図である。
【図１０】支持部材の短手面への挟込固定部材の取り付け態様を示す拡大斜視図である。
【図１１】支持部材への挟込固定部材の取り付け態様を示す拡大斜視図である。
【図１２】仕切機構を遊技島台に連結した状態の斜視図である。
【図１３】仕切機構を遊技島台に連結して挟込固定部材を一方のみ取り外した状態の斜視図である。
【図１４】仕切機構を遊技島台に連結して挟込固定部材を一方のみ取り外すと共に仕切部材を取り外した状態の斜視図である。
【図１５】仕切部材の変形例を示す正面図である。
【図１６】仕切部材の変形例を示す正面図である。
【発明を実施するための形態】
【００１４】
以下、図面を参照して本発明の実施形態について説明する。まず、図１を参照して実施形態に係る遊技島台１について説明する。図１は、遊技島台１の全体を示す正面図である。なお、図１に示す遊技島台１には、遊技機が設置されていない状態のものを示すが、遊技島台１の長手方向の両側面には複数の遊技機が列設される。また、本実施形態における遊技島台１は、遊技機としてパチンコ機を設置したものを例に説明するが、これに限られるものではなく遊技機としてパチンコ機（弾球遊技機）やスロット機（回動式遊技機）、パチンコ玉を使用して行うスロット機であるパロット等が設置されるものであってもよい。
【００１５】
図１において、遊技島台１は、周知のようにそのほぼ中央側面に複数のパチンコ機と玉貸機９とを交互に列設するようにフレーム部材１ａによって直方体状に枠組み形成されることによりパチンコ機を収容する遊技機収容部を有する遊技機設置枠３と、遊技機設置枠３の上部にフレーム部材１ａによって直方体状に枠組み形成されて後述する玉揚送装置によって揚送されたパチンコ玉を受け入れる上部タンクからパチンコ機にパチンコ玉を供給する補給樋及び分岐装置等が収容される上部収容枠２と、遊技島台１で営業中に必要とされ得る玉量を貯留する下部貯留タンク及び該下部貯留タンクにパチンコ機から排出されるパチンコ玉を誘導する回収樋等の遊技を補助する補助装置を収容する補助装置収容部４ａと該補助装置収容部４ａに隣接する空洞部４ｂ（図１７参照）と床面に接地して遊技島台１を支持する脚部４ｃとを有する下部収容枠４と、から構成されている。また、パチンコ機の列設位置の下方に外側に突出するカウンター台を挟んで腰板８が設けられている。また、各パチンコ機の上方には、呼出ランプ装置５が取り付けられる装飾板６が設けられ、更にその上部に開閉自在な幕板７が設けられている。なお、下部収用枠４は、遊技機設置枠３の下端を支持する脚部４ｃのみで形成されるものでも良い。
【００１６】
また、遊技島台１を形成するフレーム部材１ａは通常床面に接地して遊技島台１の全体を支持する。本実施形態では、フレーム部材１ａのうち一部（所定数）のフレーム部材１ａにおいて、床面に接地することなく遊技機設置枠３の下端部で切断され、これにより遊技島台１の下部収容枠４に、その一部が刳り貫かれた空洞部４ｂを形成している。また、この空洞部４ｂには遊技機設置枠３の下端部で切断されたフレーム部材１ａと連結して遊技島台１を支持する仕切機構２０が立設されている。この仕切機構２０は、空洞部４ｂを塞いで遊技者の足元に置いてある持ち物等が空洞部４ｂを通して遊技島台１の他側面側から奪われてしまう等の問題を解決し、セキュリティを強化するものである。
【００１７】
以下、仕切機構２０について図２−図１０を参照して詳細に説明する。図２は、仕切機構２０を遊技島台１に連結した状態の正面図であり、図３は、仕切機構２０を遊技島台１に連結した状態の斜視図であり、図４は、仕切機構２０の斜視図であり、図５は、仕切機構２０の拡大斜視図であり、図６は、一側面側の挟込固定部材２３を取り外した状態の仕切機構２０の拡大斜視図であり、図７は、一側面側の挟込固定部材２３と仕切部材２１とを取り外した状態の仕切機構２０の拡大斜視図であり、図８は、支持部材２２の長手面への挟込固定部材２３の取り付け態様を示す拡大斜視図であり、図９は、（ａ）支持部材２２の短手面に挟込固定部材２３を取り付けた状態の平面図及び側面図であり、（ｂ）支持部材２２の長手面に挟込固定部材２３を取り付けた状態の平面図及び側面図であり、図１０は、支持部材２２の短手面への挟込固定部材２３の取り付け態様を示す拡大斜視図である。
【００１８】
図２乃至図１０において、仕切機構２０は、凸形状の突部２４ａを有する台座部２４と、下端部に固定されたコ字状の下部係合部２２ｄにより台座部２４の突部２４ａを被嵌して台座部２４上に起立するとともに上部に固定された上部係合部２２ｃに調節ボルト２６を介して取り付けられる連結部材２５によって遊技機設置枠３の下端部で切断されたフレーム部材１ａを被嵌して遊技島台１と連結することにより台座部２４を床面に押圧固定する支持部材２２と、支持部材２２を空洞部４ｂの前後面側から挟み込むように支持部材２２に着脱自在に固定される前後２つの挟込固定部材２３と、前後２つの挟込固定部材２３によってその側端部が空洞部４ｂの前後面側から挟み込まれて台座部２４上に起立する仕切部材２１と、から構成される。なお、本例の仕切部材２１には、遊技場内の空気の循環を妨げないように通気孔２１ａが形成されている。また、連結部材２５を挟むように調節ボルト２６に螺合されるナット（符号省略）の調節ボルト２６に対する螺合位置を調節することにより、支持部材２２による台座部２４の床面への押圧力を調節しながら固定することができる。
【００１９】
また仕切機構２０は、遊技島台１の短手方向中央部（短手方向の中央付近や略中央であれば厳密に中央でなくてもよい）に下部収容枠４の空洞部４ｂの長手方向一端部から他端部に亘って立設する。この仕切機構２０はその底部の台座部２４が約７ｃｍ程度の幅を有し、台座部２４及び連結部材２５を除く仕切機構２０の他の部分（仕切部材２１、指示部材２２、及び挟込固定部材２３）は約３ｃｍ程度の幅に納まるように構成されている。このように遊技機設置枠３の下方に空洞部４ｂを形成してこの空洞部４ｂに遊技島台１の長手方向に沿って仕切機構２０を立設しているため、遊技機設置枠３の下方に空間が形成され、遊技者が脚を伸ばして楽な姿勢で遊技を長期間継続して行うことができるようになり、遊技者の疲労を軽くする効果が得られると共に、仕切機構２０によって空洞部４ｂを通して遊技者の足元に置いてある持ち物等が遊技島台１の他側面側から奪われてしまうことを防止できる。
【００２０】
また、仕切機構２０は、連結部材２５によって遊技機設置枠３の下端部で切断されたフレーム部材１ａを被嵌して遊技島台１と連結して遊技機設置枠３の下端部（フレーム部材１ａ）を下方から突き上げる（支持する）一方、台座部２４を床面に押し付けるように立設されているため、空洞部４ｂを形成するためにフレーム部材１ａを遊技機設置枠３の下端部で切断してフレーム部材１ａの一部が床面に設置しないように構成しても仕切機構２０によってフレーム部材１ａを間接的に床面に接地した状態とすることができ、仕切機構２０によって遊技機設置枠３の下端部で切断されたフレーム部材１ａを支持して遊技島台１を補強できると共に台座部２４の床面への接地圧を高めて仕切機構２０をより強固に遊技島台１へ取り付けることができる。なお、本例において、仕切機構２０を構成する部材のうち、支持部材２２及び２つの挟込固定部材２３は、空洞部４ｂの長手方向に沿って適宜の間隔を置いて設けられるものであり、空洞部４ｂの両側端部には、一対の挟持板２７がフレーム部材１ａに取り付けられており、この一対の挟持板２７の間に形成される隙間に仕切部材２１の一端部が挟み込まれるようになっている。したがって、この一対の挟持板２７も仕切機構２０を構成する部材に含まれている。
【００２１】
本例の仕切機構２０は、仕切部材２１が例えば遊技者に蹴られること等によって破損した場合であっても容易に交換できるように構成されている。具体的には、図５に示すように支持部材２２と仕切部材２１の側端部とを空洞部４ｂの前後面側から挟み込むように支持部材２２に取り付けられる２つの挟込固定部材２３を、図６に示すように一側面の挟込固定部材２３だけ取り外して仕切部材２１の挟み込みを解除することにより一側面側から仕切部材２１の取り外し及び取り付けを可能にしている（図７参照）。
【００２２】
なお、２つの挟込固定部材２３のそれぞれは、図８に示すように支持部材２２に形成されるネジ穴２２ａと挟込固定部材２３に形成されるネジ穴２３ａとを合致させた状態でネジ２２ｂをネジ穴２２ａ、２３ａに差し込んで螺着することによって支持部材２２に固定される。また、挟込固定部材２３は支持部材２２を挟み込むように長方形状に形成される支持部材２２の４つの側面のうち対向する２つの側面にそれぞれ固定されるため、仕切部材２１を交換する場合に支持部材２２の挟込固定部材２３が固定されている２つの側面のうちどちらか一側面に固定されている挟込固定部材２３を取り外すことで仕切部材２１の挟み込みを解除できる。換言すると、仕切部材２１を交換する場合に遊技島台１のいずれの側面からでもネジ２２ｂを取り外して挟込固定部材２３による仕切部材２１の挟み込みを解除することができ、遊技島台１の両側面から仕切部材２１の取り外し及び取り付けが可能であるため、作業効率が向上する。
【００２３】
また、挟込固定部材２３によって遊技島台１の両側面から挟み込まれる仕切部材２１は、部材毎に厚みが異なる場合があり、その厚みに対応できない場合には仕切部材２１ががたついてしまったり仕切部材２１の取り付け自体が困難になってしまう。このような問題点に対応するためには、２つの挟込固定部材２３によって形成される隙間寸法を変化させるために支持部材２２を厚みの異なる他の支持部材２２へと新たに交換する必要があった。本例では、支持部材２２を厚みの異なる新たな支持部材２２に変更することなく、２つの挟込固定部材２３によって形成される隙間寸法を変化させることが可能になっている。
【００２４】
具体的には、図９に示すように本例の支持部材２２は底面が縦方向の長さと横方向の長さが異なる長方形状に形成されている。また、支持部材２２の短手面（底面の縦方向と横方向の二辺のうち短い方の一辺を含む側面）と長手面（底面の縦方向と横方向の二辺のうち長い方の一辺を含む側面）とのいずれにもネジ穴２２ａが形成され（図８参照）、支持部材２２の短手面と長手面とのいずれにも挟込固定部材２３を取り付けることができるようになっている。上記したように挟込固定部材２３は支持部材２２の４つの側面のうち対向する２つの側面にそれぞれ固定され、挟込固定部材２３を固定する支持部材２２の２つの側面として短手面と長手面との一方を適宜選択することにより挟込固定部材２３による仕切部材２１を挟持するための隙間寸法を図９（ａ）に示す支持部材２２の短手面に取り付けた場合の隙間寸法ｄ１と図９（ｂ）に示す支持部材２２の長手面に取り付けた場合の隙間寸法ｄ２との二段階（ｄ１＞ｄ２）に立設可能である。これにより、厚みの異なる複数種類の仕切部材２１にも対応することができ、仕切部材２１の厚みに応じて挟込固定部材２３の隙間寸法を設定して挟込固定部材２３によって挟み込まれた仕切部材２１の挟込固定部材２３からの脱落を抑止できる。
【００２５】
図８及び図９に示すように、挟込固定部材２３を支持部材２２の長手面だけでなく、支持部材２２の短手面にも取り付け可能であり、仕切部材２１の厚みに応じて挟込固定部材２３を取り付ける支持部材２２の側面として短手面と長手面とのいずれか一方を適宜選択することにより挟込固定部材２３の隙間寸法を所望の寸法に設定できる。
【００２６】
なお、本例の２つの挟込固定部材２３のそれぞれは、仕切部材２１の側端部を挟み込む部位に比べて支持部材２２に当接する面が突出し、支持部材２２と当接する当接面２３ｂと仕切部材２１を挟み込む挟持面２３ｃとが段違いに形成されている。これにより、支持部材２２の厚みよりも薄い仕切部材２１を取り付けた場合に２つの挟込固定部材２３からの仕切部材２１の脱落を抑止でき、支持部材２２の厚みよりも薄い仕切部材２１の取り付けが可能になる。また、本例では図８から図１０に示す挟込固定部材２３の挟持面２３ｃの内側面だけでなく、図１１に示すように挟込固定部材２３の挟持面２３ｃの外側面を支持部材２２に当接させて固定することによって支持部材２２の厚みよりも薄い仕切部材２１だけでなく、支持部材２２の厚みよりも厚い仕切部材２１の取り付けが可能になり、より多くの種類の仕切部材２１の厚みに対応することができるようになっている。
【００２７】
即ち、２つの挟込固定部材２３をそれぞれ挟持面２３ｃの内側面が支持部材２２に当接するように支持部材２２に取り付ける場合と、２つの挟込固定部材２３のうち一方を挟持面２３ｃの内側面が支持部材２２に当接するように支持部材２２に取り付けると共に他方を挟持面２３ｃの外側面が支持部材２２に当接するように支持部材２２に取り付ける場合と、２つの挟込固定部材２３をそれぞれ挟持面２３ｃの外側面が支持部材２２に当接するように支持部材２２に取り付ける場合と、の３つの組合せと、挟込固定部材２３を固定する支持部材２２を短手面とするか長手面とするかの２つの組み合わせと、の３×２の合計６段階に２つの挟込固定部材２３の隙間寸法を設定でき、仕切部材２１の厚みに応じて挟込固定部材２３の隙間寸法を上記６段階の中から適宜設定することにより仕切部材２１の脱落を抑止できる。
【００２８】
また、本例では図１２に示すように遊技島台１の遊技機設置枠３の下部に底板１０が設けられ、この底板１０には仕切部材２１の取り付けを容易とする下方に開口したコ字状のレール部材１１が設けられている。また、仕切機構２０を遊技島台１に連結させている場合には、レール部材１１の内側に仕切部材２１の上端部が差し込まれた（嵌め入れられた）状態となっている。そして、仕切部材２１を遊技島台１の短手方向の両側から挟み込む２つの挟込固定部材２３のうちの一方のみ取り外すことによって仕切部材２１の挟み込みを解除した後（図１３）、仕切部材２１の下部を手前下方側に引き出すことにより仕切部材２１の上端部をレール部材１１から引き抜きながら仕切部材２１を取り外すようになっている（図１４）。更に仕切部材２１を交換するときには、図１４に示す仕切部材２１を取り外した状態の可動仕切部材２０に対して新たな仕切部材２１の上端部をレール部材１１に差し込み（嵌め入れ）、仕切部材２１の下方を押し込んで他方の挟込固定部材２３の挟持面２３ｃに押し当てた後（図１３）、仕切部材２１を挟み込むように取り外されている一方の挟込固定部材２３を再び支持部材２２に取り付けることによって仕切部材２１を取り付けるようになっている（図１２）。
【００２９】
このように、仕切部材２１の取り付け及び取り外しに際して仕切部材２１の上端部が仮固定されるため、仕切部材２１の取り付け時及び取り外し時に仕切部材２１を押さえながら挟込固定部材２３を固定するためのネジ２２ｂを回す必要がなくなり、安定した状態でネジ２２ｂを回して挟込固定部材２３を支持部材２２に固定及び取り外しでき、仕切部材２１の交換作業を１人でも容易に行うことができる。また、仕切部材２１の上端部がレール部材１１によって覆われると共に左右端部が２つの挟込固定部材２３によって覆われるため、仕切部材２１の上端部及び左右端部の露出箇所を軽減でき、仕切部材２１の上端部及び左右端部の見栄えを良くすることができる。
【００３０】
なお、本例では仕切部材２１としてステンレス製の板状部材に通気用の穴（通気穴２１ａ）を複数形成したパンチングメタルを用いているが、仕切部材２１の材質及び形状はこれに限られるものではなく、図１５に示すエキスパンドメタルやワイヤーネット、図１６に示す通気用の穴の形成されていない板状部材等であってもよく、またその材質はステンレス等の金属製や木製等に限らず、一定以上の強度（例えば遊技者が蹴ったり叩いても割れない程度の強度等）を有するものであればその材質は問わない。
【００３１】
また、上記した例では挟込固定部材２３として当接面２３ｂと挟持面２３ｃとが段違いに形成されるステンレス製のものを用いて、支持部材２２に挟込固定部材２３の当接面２３ｂの内側面を当接させた場合と当接面２３ｂの外側面を当接させた場合とで挟込固定部材２３の挟持面２３ｃの隙間寸法が異なる構成のものについても説明したが、挟込固定部材２３の材質及び形状は上記したものに限らず、コ字状に形成される挟込固定部材２３によって支持部材２２との当接面と仕切部材２１の挟み込み部分とが段違いとなるようにしてもよいし、当接面２３ｂと挟持面２３ｃとが平坦な板状部材の挟込固定部材２３としてもよい。挟込固定部材２３を当接面２３ｂと挟持面２３ｃとが段違いに形成した場合には、支持部材２２を長方形状に形成しなくても挟込固定部材２３の間隔を変更することができ、厚みの異なる複数種類の仕切部材２１に対応可能である。
【００３２】
なお、挟込固定部材２３として当接面２３ｂと挟持面２３ｃとが平坦な板状部材を用いた場合であっても支持部材２２の形状を異ならせることによって挟込固定部材２３の挟持面２３ｃの隙間寸法を変更して厚みの異なる複数種類の仕切部材２１に対応可能である。具体的には、支持部材２２の形状を図９に示すような縦方向の長さと横方向の長さが異なる断面長方形状や、隣接する突部の幅が異なる断面十字形状等とすることによって挟込固定部材２３の挟持面２３ｃの隙間寸法を変更することができ、厚みの異なる複数種類の仕切部材２１に対応可能である。
【００３３】
また、遊技機設置枠３の下部を覆う底板１０に設けられているレール部材１１を変更することによって厚みの異なる複数種類の仕切部材２１に対応可能に構成してもよい。この場合には、レール部材１１をネジ止め等により底板１０に取り外し可能に取り付けて、可動仕切部材２０に設けられる仕切部材２１の厚みに対応するように仕切部材２１の厚みに応じたレール部材１１に交換するようにしても良いし、複数の底板１０それぞれに間隔が異なるレール部材１１を取り付けて可動仕切部材２０に設けられる仕切部材２１の厚みに対応するように仕切部材２１の厚みに応じたレール部材１１が取り付けられている底板１０に交換するようにしてもよい。
【００３４】
また、上記した例では空洞部４ｂの遊技島台１の長手方向に沿って空洞部４ｂの全面を塞ぐように複数個の仕切部材２１を配置するように構成したが、これに限らず、１個の仕切部材２１を遊技島台１の長手方向に沿って配置して空洞部４ｂの全面（略全面）を塞ぐようにしてもよいし、空洞部４ｂの遊技島台１の長手方向に沿って所定数（１個でもよいし複数個でもよい）の仕切部材２１を配置して空洞部４ｂの一部を塞ぐようにしてもよい（空洞部４ｂの略全面を塞ぐものであってもよいし空洞部４ｂの略全面を開放するものであってもよい）。
【００３５】
以上、本発明によれば、遊技機設置枠３の下方に空洞部４ｂが形成されているため、従来と同じように遊技者が脚を伸ばして楽な姿勢で遊技を行うことができると共に、長期間継続して遊技を行っても遊技者の疲労を軽くすることができる。また、空洞部４ｂに遊技島台１の長手方向に沿って仕切部材２１を立設するため、セキュリティを強化して空洞部４ｂを通して遊技島台１の他側面側から遊技者の足元に置いてある持ち物等が奪われることを防止できる。また、空洞部４ｂの前後面側から支持部材２２に着脱自在に固定される前後２つの挟込固定部材２３によって仕切部材２１の側端部を挟み込むため、空洞部４ｂの前後面のうちの一側面側から一の挟込固定部材２３を脱着することができ、一側面側からの仕切部材２１の取付作業や交換作業を容易に行うことができる。
【００３６】
また、支持部材２２を遊技島台１の短手方向の厚み寸法が変更可能となるように空洞部４ｂに立設するため、２つの挟込固定部材２３を支持部材２２の厚み寸法が大きい場合と小さい場合とにそれぞれ固定したときに、２つの挟込固定部材２３によって形成される隙間寸法を異ならせることができ、厚みの異なる複数種類の仕切部材２１の側端部の挟み込み立設が可能になる。
【００３７】
また、支持部材２２と当接する当接面２３ｂと仕切部材２１の側端部を挟み込む挟持面２３ｃとが段違いとなるように２つの挟込固定部材２３のそれぞれを形成したため、支持部材２２の厚みよりも薄い仕切部材２１や支持部材２２の厚みよりも厚い仕切部材２１であっても２つの挟込固定部材２３によって挟み込み立設が可能となる。
【００３８】
また、仕切部材２１を載置する台座部２４と遊技機設置枠３の下端部に仕切部材２１の上端部を嵌め入れるコ字状のレール部材１１とを設けるため、仕切部材２１を２つの挟込固定部材２３によって挟み込み立設する際に仕切部材２１の上端部をレール部材１１に嵌め入れて台座部２４に載置して仮固定された状態で２つの挟込固定部材２３の両方又はいずれか一方の固定を行うことが可能になるため、仕切部材２１を支えながらの作業が不要となり、仕切部材２１の取り付けに係る作業負担を軽減できる。
【符号の説明】
【００３９】
１  遊技島台
１ａ  フレーム部材
３  遊技機設置枠
４  下部収容枠
４ｂ  空洞部
１０  底板
１１  レール部材
２０  仕切機構
２１  仕切部材
２２  支持部材
２３  挟込固定部材
２３ｂ  当接面
２３ｃ  挟持面
２４  台座部
【図１】
2014147545.tif 000003
【図２】
2014147545.tif 000004
【図３】
2014147545.tif 000005
【図４】
2014147545.tif 000006
【図５】
2014147545.tif 000007
【図６】
2014147545.tif 000008
【図７】
2014147545.tif 000009
【図８】
2014147545.tif 000010
【図９】
2014147545.tif 000011
【図１０】
2014147545.tif 000012
【図１１】
2014147545.tif 000013
【図１２】
2014147545.tif 000014
【図１３】
2014147545.tif 000015
【図１４】
2014147545.tif 000016
【図１５】
2014147545.tif 000017
【図１６】
2014147545.tif 000018